(57)【要約】【課題】よりロックを解除しやすい給紙トレイを提供すること。【解決手段】複写機の所定の空間から引き出し可能なシート収納ケース１８と、シート収納ケース１８を収納した状態で、装置本体２と協働して収納状態をロックするロック機構３０と、ロックを解除するためのロック解除レバー４１と、シート収納ケース１８の前面１８ｆを基準にして、ロック解除レバー４１よりも遠い位置であって、ユーザーがロック解除レバー４１とともに握れるように配置されているカバー４５とを備え、カバー４５は、ロック解除レバー４１の動きと協働して回動し、ロック解除レバー４１とカバー４５を握ることによって、シート収納ケース１８を引き出す方向を基準にして所定の角度の傾きを有する方向にロック解除レバー４１が移動し、ロックが解除される、給紙トレイ１である。【選択図】図２
2010275054.tif 000002
【特許請求の範囲】
【請求項１】
画像形成装置本体の所定の空間から引き出し可能な、シートを収納するシート収納ケースと、
前記シート収納ケースを収納した状態で、前記画像形成装置本体と協働して前記収納状態をロックするロック機構と、
前記ロックを解除するためのロック解除レバーと、
前記シート収納ケースの前面を基準にして、前記ロック解除レバーよりも遠い位置であって、ユーザーが前記ロック解除レバーとともに握れるように配置されている支持部材とを備え、
前記支持部材は、前記ロック解除レバーの動きと協働して回動し、
前記ロック解除レバーと前記支持部材を握ることによって、前記シート収納ケースを引き出す方向を基準にして所定の角度の傾きを有する方向に前記ロック解除レバーが移動し、前記ロックが解除される、給紙トレイ。
【請求項２】
前記シート収納ケースの前記前面と前記支持部材を連結する第１連結部材と、
前記ロック機構と前記ロック解除レバーを連結する第２連結部材とを備え、
前記第１連結部材は、前記シート収納ケースの前記前面と、第１回転軸により回動可能に連結され、
前記第２連結部材は、前記ロック機構と、第２回転軸により回動可能に連結され、
前記ロック解除レバーと前記支持部材を握っていない状態では、前記第１回転軸と前記第２回転軸は、同じ軸上に配置され、
前記ロック解除レバーと前記支持部材を握っている状態では、前記第２回転軸は、前記第１回転軸よりも前記シート収納ケースを引き出す方向側に配置される、請求項１記載の給紙トレイ。
【請求項３】
前記ロック機構は、
前記ロックされている状態において、前記シート収納ケースを引き出す際に前記画像形成装置本体に形成された凸部に引っかかる爪部と、前記第２連結部材との前記連結部と前記爪部との間に形成された支点とを有し、前記支点を中心に回動可能に構成されたロック部材と、
前記ロックされている状態において、前記シート収納ケースを引き出す際に前記凸部に引っかかるよう前記爪部を前記凸部近傍に配置させるために、前記ロック部材を付勢する弾性部材とを有し、
前記ロック解除レバーと前記支持部材を握ることによって、前記ロック解除レバーが前記支持部材の方向に移動し、前記ロック解除レバーと前記第２連結部材を介して連結している前記ロック部材が前記支点を中心に回動し、前記爪部は、前記シート収納ケースを引き出す際に前記凸部に干渉しないよう前記凸部から離間する、請求項２記載の給紙トレイ。
【請求項４】
請求項１〜３のいずれかに記載の給紙トレイと、
前記給紙トレイから供給されたシートにトナー画像を形成する画像形成ユニットと、
前記トナー画像を前記シートに定着させる定着ユニットと、を備えた画像形成装置。
【発明の詳細な説明】
【技術分野】
【０００１】
本発明は、複写機等の画像形成装置に用いる給紙トレイに関する。
【背景技術】
【０００２】
一般的に、複写機等の画像形成装置では、用紙を収容する給紙トレイが、複数段配置されている。これらの給紙トレイはスライドレール上に設けられており、装置本体から引き出し可能に構成されている。引き出すために、給紙トレイには、一般的に引き出し方向前面の中央部分に把手が設置されており、ユーザーは、給紙トレイを装置本体から引き出して記録用紙の補充を行う。
【０００３】
このような給紙トレイでは、装置本体から自重により飛び出したりしないように、装置本体に装着した際に給紙トレイにロックがかかるように構成されているものがある（例えば、特許文献１参照。）。この特許文献１に示す給紙トレイでは、装置前面の把手を握ることによってロックを解除した後、引き出すことが出来るように構成されている。
【０００４】
又、健常者及び車椅子の着座者の双方にとってロック解除がし易いように、装置前面の把手を上方向に持ち上げる又は下方向に押し下げることによって、ロックを解除することが可能な構成が開示されている（特許文献２参照。）。
【先行技術文献】
【特許文献】
【０００５】
【特許文献１】特開２００６−７６６９５号公報
【特許文献２】特開２００８−１８４２９９号公報
【発明の概要】
【発明が解決しようとする課題】
【０００６】
しかしながら、上述した特許文献１に記載の給紙トレイでは、予め定められた方向に向かって把手を握る、又は把手を動かすことによってロックが解除される構成となっており、ロック解除の方向が固定されているものであった。このようにロック解除の方向が固定されていると、様々な体格の人全員や車椅子利用者にとって使い勝手が良いものではなかった。
【０００７】
本発明は、従来の給紙トレイの課題を考慮し、よりロックを解除しやすい給紙トレイ及びそれを用いた画像形成装置を提供することを目的とする。
【課題を解決するための手段】
【０００８】
上記目的を達成するために第１の本発明は、
画像形成装置本体の所定の空間から引き出し可能な、シートを収納するシート収納ケースと、
前記シート収納ケースを収納した状態で、前記画像形成装置本体と協働して前記収納状態をロックするロック機構と、
前記ロックを解除するためのロック解除レバーと、
前記シート収納ケースの前面を基準にして、前記ロック解除レバーよりも遠い位置であって、ユーザーが前記ロック解除レバーとともに握れるように配置されている支持部材とを備え、
前記支持部材は、前記ロック解除レバーの動きと協働して回動し、
前記ロック解除レバーと前記支持部材を握ることによって、前記シート収納ケースを引き出す方向を基準にして所定の角度の傾きを有する方向に前記ロック解除レバーが移動し、前記ロックが解除される、給紙トレイである。
【０００９】
また、第２の本発明は、
前記シート収納ケースの前記前面と前記支持部材を連結する第１連結部材と、
前記ロック機構と前記ロック解除レバーを連結する第２連結部材とを備え、
前記第１連結部材は、前記シート収納ケースの前記前面と、第１回転軸により回動可能に連結され、
前記第２連結部材は、前記ロック機構と、第２回転軸により回動可能に連結され、
前記ロック解除レバーと前記支持部材を握っていない状態では、前記第１回転軸と前記第２回転軸は、同じ軸上に配置され、
前記ロック解除レバーと前記支持部材を握っている状態では、前記第２回転軸は、前記第１回転軸よりも前記シート収納ケースを引き出す方向側に配置される、第１の本発明の給紙トレイである。
【００１０】
また、第３の本発明は、
前記ロック機構は、
前記ロックされている状態において、前記シート収納ケースを引き出す際に前記画像形成装置本体に形成された凸部に引っかかる爪部と、前記第２連結部材との前記連結部と前記爪部との間に形成された支点とを有し、前記支点を中心に回動可能に構成されたロック部材と、
前記ロックされている状態において、前記シート収納ケースを引き出す際に前記凸部に引っかかるよう前記爪部を前記凸部近傍に配置させるために、前記ロック部材を付勢する弾性部材とを有し、
前記ロック解除レバーと前記支持部材を握ることによって、前記ロック解除レバーが前記支持部材の方向に移動し、前記ロック解除レバーと前記第２連結部材を介して連結している前記ロック部材が前記支点を中心に回動し、前記爪部は、前記シート収納ケースを引き出す際に前記凸部に干渉しないよう前記凸部から離間する、第２の本発明の給紙トレイである。
【００１１】
また、第４の本発明は、
第１〜３のいずれかの本発明の給紙トレイと、
前記給紙トレイから供給されたシートにトナー画像を形成する画像形成ユニットと、
前記トナー画像を前記シートに定着させる定着ユニットと、を備えた画像形成装置である。
【発明の効果】
【００１２】
本発明によれば、よりロックを解除しやすい給紙トレイ及びそれを用いた画像形成装置を提供することを目的とする。
【図面の簡単な説明】
【００１３】
【図１】本発明にかかる実施の形態１における複写機を模式的に示した正面図
【図２】本発明にかかる実施の形態１における給紙トレイの斜視図
【図３】本発明にかかる実施の形態１における給紙トレイのロック機構のカバーを外した状態を示す斜視図
【図４】本発明にかかる実施の形態１における給紙トレイのロック機構のカバーの上部分を省略した状態を示す平面図
【図５】（ａ）（ｂ）本発明にかかる実施の形態１における第１Ａ連結部材の水平に保つ構成を説明するための図、（ｃ）本発明にかかる実施の形態１におけるバネ部材の斜視図、（ｄ）本発明にかかる実施の形態１におけるバネ部材の平面図
【図６】（ａ）図４のＢＢ´間断面図、（ｂ）図４のＤＤ´間断面図
【図７】本発明にかかる実施の形態１におけるロック部材の左側面図
【図８】（ａ）（ｂ）（ｃ）本発明にかかる実施の形態１におけるシート収納ケースを引き出す際にロックを解除する動作を説明するための第１Ａ連結部材近傍の構成図、（ｄ）（ｅ）（ｆ）本発明にかかる実施の形態１におけるシート収納ケースを引き出す際にロックを解除する動作を説明するための第２連結部材近傍の構成図、
【図９】本発明にかかる実施の形態１における給紙トレイのロックを解除した状態を示す平面構成図
【図１０】（ａ）〜（ｃ）本発明にかかる実施の形態１における給紙トレイの変形例を示す側面図
【発明を実施するための形態】
【００１４】
以下、本発明にかかる画像形成装置の一例としての複写機について説明するとともに、本発明の給紙トレイの一例についても同時に述べる。
【００１５】
（実施の形態１）
はじめに、本発明にかかる実施の形態の複写機の構成について説明する。
【００１６】
図１に示すように、本実施の形態における複写機は、その装置本体２の底部に、画像形成される用紙を収納するための４つの給紙トレイ１を備えている。また、給紙トレイ１の上部には、手差しトレイ３が設けられている。
【００１７】
これら給紙トレイ１又は手差しトレイ３から供給された用紙にトナー画像を形成するための、感光体ドラム４、帯電器５、露光器６、現像器７、転写器８、及びクリーニングユニット９等から構成される画像形成ユニット１０が設けられている。
【００１８】
更に、トナー画像を用紙に定着するための定着ユニット１１と、トナー画像が定着された用紙を排出するための排出ユニット１２が設けられている。
【００１９】
又、本実施の形態における複写機は、装置本体２の上部に、露光ランプ、レンズ、ミラー等により原稿の画像を読み取る原稿読み取りユニット１５を備えている。尚、図１に示されている点線の矢印は光路を示しており、矢印が接している部分で感光体ドラム４に静電潜像が形成される。又、実線矢印は紙の搬送路を示しており、給紙トレイ１から画像形成ユニット１０へと用紙を供給するための、給送ローラ１３が給紙トレイ１の上部に配置されている。
【００２０】
次に、本発明にかかる実施の形態の給紙トレイ１について説明する。
【００２１】
図２は、給紙トレイ１を模式的に示した斜視図である。
【００２２】
本実施の形態の給紙トレイ１は、用紙を収容するための樹脂製のシート収納ケース１８と、シート収納ケース１８の側面には、シート収納ケース１８を装置本体２に着脱するためのスライダー２２が設けられている。
【００２３】
又、給紙トレイ１は、シート収納ケース１８に設けられ、給送ローラ１３（図１参照）の位置まで、用紙を持ち上げるためのリフト板１６を有している。また、シート収納ケース１８には、用紙の載置位置を決めるために、給紙方向Ｂと垂直方向に調節可能な１組の用紙ガイド１９と、給紙方向Ｂに調節可能な用紙ガイド２０が設けられている。
【００２４】
又、矢印Ａは、シート収納ケース１８を装置本体２から引き出す方向を示しており、矢印Ｂは、シート収納ケース１８から用紙が搬送される給紙方向を示している。
【００２５】
また、リフト板１６は、給紙方向Ｂと反対側の端１６ａの両端にヒンジ部２１を有し、ヒンジ部２１によってシート収納ケース１８に取り付けられている。このヒンジ部２１を支点として、リフト板１６の給紙方向端１６ｂが持ち上がるように、リフト板１６は回動可能に構成されている。尚、装置本体２に複数のコネクタ（図示せず）が設けられており、シート収納ケース１８の背面側にも複数のコネクタが設けられている。シート収納ケース１８を装置本体２に装着することによって、これらのコネクタは接続される。そして、給紙トレイ１の電気系と装置本体２の電気系が接続され、図示しない駆動系が動作し、リフト板１６が持ち上げられる。又、シート収納ケース１８に収納されている用紙サイズを読み取るために、用紙に合わせて調節した用紙ガイド１９、２０の位置信号が装置本体２に送信される。尚、給紙トレイ１を装置本体２から引き出しているため、電気的な接続が成されておらず、実際にはリフト板１６は持ち上がらないが、図２及び以下に示す図３では、説明のためにリフト板１６を持ち上げた状態を示している。
【００２６】
又、本実施の形態１の給紙トレイ１では、シート収納ケース１８の左側面に、装置本体２に装着された時に装置本体２とシート収納ケース１８をロックするためのロック機構３０が設けられている。このロック機構３０によってシート収納ケース１８が自重によって装置本体２から突出すること等が防止される。又、シート収納ケース１８の前面１８ｆには、シート収納ケース１８を装置本体２から引き出すための把手部４０が設けられている。
【００２７】
次に、把手部４０の構成について詳しく説明する。
【００２８】
図２に示すように、把手部４０は、シート収納ケース１８の前面１８ｆに水平に設けられており、ロック機構３０によるロックを解除するためのロック解除レバー４１と、ロック解除レバー４１を正面側から覆うように設けられたカバー４５を有している。
【００２９】
図３は、カバー４５を外した状態の給紙トレイ１の外観斜視図である。又、図４は、カバー４５の上側を省略した状態のロック機構３０と把手部４０の近傍を模式的に示した外観平面図である。
【００３０】
図３及び図４に示すように、シート収納ケース１８の前面１８ｆには、前面方向に突出した２つの突起部１８ａ、１８ｂが設けられている。この突起部１８ａ、１８ｂとロック解除レバー４１は、第１Ａ連結部材４２ａと第１Ｂ連結部材４２ｂによって連結されている。又、第１Ａ連結部材４２ａと第１Ｂ連結部材４２ｂは、それぞれ突起部１８ａ、１８ｂと回転軸４３ａ、４３ｂによって回転可能に連結されている。又、これら回転軸４３ａ、４３ｂの中心は、同軸上に設けられており、この軸がＡとして一点鎖線で示されている。
【００３１】
図５（ａ）は、給紙トレイ１の回転軸４３ａ近傍を示す右側面の拡大図である。図５（ａ）に示すように、第１Ａ連結部材４２ａのシート収納ケース１８側の端の側面には、回転の中心軸Ａよりも下側にピン４２２が設けられている。このピン４２２には、バネ部材４２３が嵌め込まれている。図５（ｃ）は、バネ部材４２３の斜視図であり、図５（ｄ）はバネ部材４２３の平面図である。バネ部材４２３は、図５（ｃ）（ｄ）に示すように、線材が捲き回されたコイル部４２３ｋと、コイル部４２３ｋから約９０度の角度を形成して伸びている２つの端部４２３ａ、４２３ｄとから形成されている。このバネ部材４２３の一端４２３ａが当接している当接部４２４が、第１Ａ連結部材４２ａの側面であって、ピン４２２よりも下側に設けられている。一方、シート収納ケース１８の前面１８ｆに、バネ部材４２３の他端４２３ｄが当接している当接部１８ｄが形成されている。この当接部１８ｄは、図５（ａ）に示すように、ピン４２２を中心にして、当接部４２４を反時計回りに約９０度移動させた位置に配置されている。
【００３２】
このように構成することによって、バネ部材４２３の弾性力によって第１Ａ連結部材４２ａを水平に保つことが出来る。又、図５（ｂ）に示すように、第１Ａ連結部材４２ａを下方に回動させたとしても、バネ部材４２３の弾性力が当接部４２４に働き、第１Ａ連結部材４２ａは上方に回動して水平に戻る（矢印参照）。尚、第１Ｂ連結部材４２ｂの回転軸４３ｂ近傍も同様にバネ部材が設けられた構成となっている。
【００３３】
図６（ａ）は、図４のＢＢ´間断面図である。図６（ａ）に示すように、第１Ａ連結部材４２ａには、その長手方向に細長い形状（略楕円形状）の貫通孔４２１ａが形成されており、その貫通孔４２１ａを通してロック解除レバー４１が配置されている。ここで、ロック解除レバー４１の断面４１ａは、円形状に形成されている。尚、第１Ｂ連結部材４２ｂにも同様の細長い形状の貫通孔が形成されており、ロック解除レバー４１は、その貫通孔を通して配置されている。このような構成により、ロック解除レバー４１は、貫通孔４２１ａ内において装置背面方向（矢印Ｃ方向）又は装置前面方向（矢印Ｄ方向）に移動可能である。又、図４に示すようにロック解除レバー４１を、前面１８ｆ側に付勢するためにバネ部材４６が設けられている。この付勢力により、図６（ａ）に示すように、楕円形状の貫通孔４２１ａの装置背面側（矢印Ｃ参照）に、ロック解除レバー４１の断面４１ａが当接している。
【００３４】
次に、ロック機構３０の構成について詳しく説明する。
【００３５】
図３及び図４に示すように、ロック機構３０は、平面視Ｌ字状のロック部材３１を有している。このロック部材３１は、ロック状態において軸Ａ上に配置された第１部材３２と、第１部材３２の端３２ａから装置背面方向（矢印Ｄ方向）に伸びた第２部材３３から形成されている。又、第２部材３３の先端には、ロック状態においてシート収納ケース１８を装置本体２から引き出すと、装置本体２側に形成された凸部６０と干渉するように、爪部３４が設けられている。この爪部３４は、上方から見て、装置背面側を指し示す矢印形状の部材であって、図４において、左方向（装置本体２に向けて）に突出するように形成された干渉面３４ａと、ロック部材３１の先端（装置背面側）に向けて、部材の幅が細くなるように形成された傾斜面３４ｂを有している。一方、図４に示すように装置本体２には、シート収納ケース１８側に突出するように凸部６０が形成されており、この凸部６０は、平面視において装置前面側（矢印Ｄ）に傾斜面６０ｂが形成されており、装置背面側（矢印Ｃ）に干渉面６０ａが形成されている。そして、給紙トレイ１を装置本体２に装着し、ロックした状態では、ロック部材３１の干渉面３４ａと、凸部６０の干渉面６０ａが対向している。
【００３６】
又、図３及び図４に示すように、ロック部材３１の第１部材３２と、ロック解除レバー４１を連結するための第２連結部材４４が設けられている。図６（ｂ）は、図４のＨＨ´間断面図である。図６（ｂ）に示すように、ロック解除レバー４１の第２連結部材４４における断面を４１ｂとすると、図６（ａ）の形状とは異なり、第２連結部材４４に形成された貫通孔４４１ａと断面４１ｂとは、同一形状である。すなわち、図６（ｂ）では、図６（ａ）と比較して、ロック解除レバー４１が、第２連結部材４４の貫通孔内を移動出来ない構成となっている。又、図４に示すように、ロック状態では、ロック部材３１の第１部材３２は、その中心が軸Ａと同軸上に配置されている。そして、第２連結部材４４は、第１部材３２と回転軸４７によって回動可能に連結されている。尚、図４に示すように、カバー４５は、ロック解除レバー４１を覆うように設けられており、第１Ａ連結部材４２ａと第１Ｂ連結部材４２ｂに固定されているが、第２連結部材４４には固定されていない。
【００３７】
更に、図４に示すように、第２部材３３には支点３３ｂが形成されており、この支点３３ｂでシート収納ケース１８に、水平方向に回転可能に支持されている。図７は、第２部材３３の左側面図である。図７に示すように、この支点３３ｂ部分では、第２部材３３を上下方向に貫く貫通孔が形成されている。また、支点３３ｂの下方には、シート収納ケース１８の底から支柱１８ｈが形成されており、支柱１８ｈの上端が、第２部材３３の貫通孔内に配置されている。また、支柱１８ｈの上端部には、その周方向に溝１８１ｈが設けられており、その溝に第２部材３３の厚み部分が嵌ることにより、第２部材３３は、支点３３ｂを中心に水平方向に回転可能且つ、支柱１８ｈの上端に支持される。
【００３８】
又、第２部材３３の、支点３３ｂと端３２ａとの間には、バネ部材３５の一端が固定されており、バネ部材３５の他端は、シート収納ケース１８を形成する筐体部分１８ｃに固定されている。このバネ部材３５により、支点３３ｂを中心にロック部材３２が矢印Ｅ方向に付勢され、ロック部材３２の干渉面３４ａと装置本体２の凸部６０の干渉面６０ａが対向することになる。
【００３９】
又、図２、３に示すように、シート収納ケース１８の前面１８ｆの左端には、開口１８ｋが形成されており、この開口１８ｋを第２部材３２が通過するように、ロック部材３1は配置されている。また、シート収納ケース１８の左側面にも開口１８ｊが形成されており、この開口１８ｊから爪部３４が突出している。
【００４０】
尚、本発明の第１回転軸の一例は、回転軸４３ａ、４３ｂに相当し、本発明の第２回転軸の一例は、回転軸４７に相当する。
【００４１】
次に、シート収納ケース１８を装置本体２から引き出す際の動作について説明する。
【００４２】
図８（ａ）、（ｂ）、（ｃ）は、把手部４０をユーザーが握る動作を説明するための図であり、図４のＩＩ´間に相当する断面図である。又、図８（ｄ）、（ｅ）、（ｆ）は、それぞれ図８（ａ）、（ｂ）、（ｃ）の状態における第２連結部材４４近傍を示す左側面図である。
【００４３】
立っているユーザーが、上方からカバー４５とロック解除レバー４１を握る場合、図８（ａ）、（ｂ）に示すように、把手部４０が上方（Ｈ方向）に回動するとともに、ロック解除レバー４１がカバー４５の方向（矢印Ｇ参照）に移動する。図８（ｂ）において、ユーザーの手が点線で示されている。
【００４４】
このロック解除レバー４１のカバー４５の方向への移動によってロックが解除される。図８（ｂ）において、ロック解除レバー４１は、シート収納ケース１８の引き出し方向（水平方向矢印Ｄ参照）を基準として上方にαの角度の傾きを有する方向に移動する。
【００４５】
一方、図９は、ロックが解除された状態を示す給紙トレイ１の部分平面図である。尚、図９において、カバー４５の上側は省略されている。
【００４６】
このとき、カバー４５に固定されている連結部材４２ａ、４２ｂは移動しないが、カバー４５に固定されていない第２連結部材４４は移動することになる。ここで、第２連結部材４４の先端４４３は、図８（ｄ）、（ｅ）、（ｆ）に示すように、カバー４５の方向（矢印Ｇ方向）に移動するが、第２連結部材４４の後端４４４は、シート収納ケース１８に固定されているロック部材３１と連結されているため、上方には移動できず、装置前面方向（矢印Ｄ方向）に水平に移動することになる。すなわち、ロックされている状態では、回転軸４７は、回転軸４３ａ、４３ｂと同じ軸上（軸Ａ上）に配置されているが、ロックを解除するためにロック解除レバー４１及びカバー４５を握ると、回転軸４７が、回転軸４３ａ、４３ｂよりも、シート収納ケース１８を引き出す方向（矢印Ｄ）側へ配置されることになる。
【００４７】
このように、第２連結部材４４の後端４４４が装置前面方向（矢印Ｄ方向）に移動することによって、図９に示すように、ロック部材３１の第１部材３２の端もカバー４５の方向に引っ張られ、ロック部材３１は、支点３３ｂを中心に矢印Ｆ方向に回動する。この回動により、装置本体２の凸部６０の背面側から爪部３４が離間し、ロックが解除される。このようにロックが解除されているため、図８（ｃ）、（ｆ）に示す状態で給紙トレイ１を矢印Ｄ方向に引き出すことが出来る。
【００４８】
すなわち、本実施の形態では、把手部４０が上下に移動した位置であっても、握ることによって装置前面方向へ働く力が生じれば、第２連結部材４４の後端４４４が水平方向に移動しロックを解除出来るため、握る方向（指の腹が移動する方向）に自由度がある。そのため自然に握るだけでロックを解除することが出来、様々な体格の人にとってロックを解除しやすいという効果を発揮することが出来る。
【００４９】
また、先行文献２では、上又は下に把手を移動させた後、給紙トレイを装置前面に引き出すというように明確に分かれた２回の動作を行う必要があったが、本実施の形態では、握る動作とともに引き出す動作を行うことが出来るため、手順がより簡単となる。
【００５０】
尚、給紙トレイ１を装置本体２に装着する時には、ロック機構３０の傾斜面３４ｂが、装置本体２の凸部６０の傾斜面６０ｂに当接し、傾斜面６０ｂに対してスライドしながら移動するため、ロック解除レバー４１を握らなくても、給紙トレイ１を装置本体２に装着することが出来る。
【００５１】
又、本発明の支持部材は、本実施の形態１では、カバー４５に相当するが、カバー４５の形状でなく、棒状の部材であってもよく、要するに、前面１８ｆを基準にして、ロック解除レバー４１よりも遠い位置にありさえすれば良く、第１Ａ連結部材４２ａ、第１Ｂ連結部材４２ｂに固定されていればよい。
【００５２】
又、本発明の第１連結部材の一例は、本実施の形態の第１Ａ連結部材４２ａ、及び第１Ｂ連結部材４２ｂに相当し、第１連結部材が２つ設けられているが、カバー４５及びロック解除レバー４１を支持することが出来れば、１つでも良い。
【００５３】
又、本実施の形態では、図８（ｂ）に示すように、シート収納ケース１８の引き出し方向を基準として上方に角度αの傾きを有する方向にロック解除レバー４１を移動させていたが、図に示す角度に限らなくても良く、この角度αの上方への回転角度を＋、下方への回転角度を−とし、水平方向を０度とすると、角度αは、−９０度から９０度までの間をとることが出来る。
【００５４】
又、本実施の形態では、ロック解除レバー４１を水平に保つために、図５で説明したように、バネ部材４２３及び当接部４２４、１８ｄが設けられていたが、この構成に限らなくても良い。例えば、上方にのみ回動する構成で使用上問題がなければ、図１０（ａ）に示すように、バネ部材４２３及び当接部４２４、１８ｄを設けず、第１Ａ連結部材４２ａの下側に前面１８ｆから突出した当接部１８１を形成すればよい。更に、図１０（ｂ）に示すように、回転軸Ａより上方側にも当接部４２４´と、バネ部材４２３´を設けて、把手部４０を上方に回動させた際にも弾性力によって素早く水平に戻るように構成してもよい。又、図１０（ｃ）に示すように、図１０（ａ）の当接部１８１を設け、図１０（ｂ）の当接部４２４´、バネ部材４２３´及び当接部１８ｄを設けた構成であってもよい。
【００５５】
又、本実施の形態では、モノクロの複写機を例に挙げ、本発明の給紙トレイを適用して説明しているが、複写機に限らずプリンター、ファクシミリであっても良く、更にフルカラーであっても良い。
【産業上の利用可能性】
【００５６】
本発明の給紙トレイによれば、よりロックを解除しやすい効果を発揮することが出来、複写機、ファクシミリ、プリンター等の画像形成装置等として有用である。
【符号の説明】
【００５７】
１  給紙トレイ
２  本体
３  手差しトレイ
４  感光体ドラム
５  帯電器
６  露光器
７  現像器
８  転写器
９  クリーニングユニット
１０  画像形成ユニット
１１  定着ユニット
１２  排出ユニット
１３  給送ローラ
１５  原稿読み取りユニット
１６  リフト板
１８  シート収納ケース
１９、２０  用紙ガイド
３０  ロック機構
３１  ロック部材
３２  第１ロック部材
３３  第２ロック部材
４０  把手部
４１  ロック解除レバー
４２ａ、第１Ａ連結部材
４２ｂ  第１Ｂ連結部材
４３ａ、４３ｂ  回転軸
４４  第２連結部材
４５  カバー
【図１】
2010275054.tif 000003
【図２】
2010275054.tif 000004
【図３】
2010275054.tif 000005
【図４】
2010275054.tif 000006
【図５】
2010275054.tif 000007
【図６】
2010275054.tif 000008
【図７】
2010275054.tif 000009
【図８】
2010275054.tif 000010
【図９】
2010275054.tif 000011
【図１０】
2010275054.tif 000012